(57)【要約】【課題】加熱手段の溶融による火災といった事態を回避可能な電気ケトルを提供する。【解決手段】電気ケトルにおいて、加熱手段１０の直下にその全面を覆うことにより溶融物を受ける受け皿２５を設ける。また、その容積を加熱手段１０の全溶融物の体積よりも大きくしたものである。これによって、高出力の加熱手段１０が溶融した場合でも、溶融物が床面まで落下しない。また、受け皿２５の下方に温度ヒューズ２７を設け、加熱手段１０により温度上昇した受け皿２５からの熱を温度ヒューズ２７が検出し、高温になったら温度ヒューズ２７が切れて安全性を格段に向上させたことを特徴としている。【選択図】図３
2014061253.tif 000002
【特許請求の範囲】
【請求項１】
加熱手段と、当該加熱手段の下方に配置された受け皿と、を有する電気ケトルであり、
前記受け皿の容積が、前記加熱手段の全溶融物の体積よりも大きいことを特徴とする電気ケトル。
【請求項２】
請求項１に記載の電気ケトルであり、
前記受け皿の下方に温度ヒューズを備えたことを特徴とする電気ケトル。
【請求項３】
水を入れるための容器と、当該容器の下方に配置され前記容器内の水を加熱する加熱手段と、当該加熱手段の下方に配置された受け皿と、を有する電気ケトルであり、
前記容器の下方には、前記受け皿と前記加熱手段を取り付けるための金属或いは樹脂からなる取付け部材が配され、
前記取付け部材に、前記加熱手段と前記受け皿が取付けられた状態では、前記加熱手段の下方に前記受け皿が配置され、前記受け皿の容積が、前記加熱手段の全溶融物の体積よりも大きいことを特徴とする電気ケトル。
【請求項４】
請求項３に記載の電気ケトルであり、
更に、温度ヒューズと、当該温度ヒューズを支持する温度ヒューズ取り付け板とを有し、
前記取付け部材に前記温度ヒューズ取付け板を取付けた状態では、前記温度ヒューズが前記受け皿に当接していることを特徴とする電気ケトル。
【発明の詳細な説明】
【技術分野】
【０００１】
本発明は電気ケトルの加熱装置の安全機構に関するものである。
【背景技術】
【０００２】
例えば、引用文献１には、電気ケトルの加熱装置の過昇防止に温度ヒューズを加熱装置に接触させる方法が記載されている。
【０００３】
図４は、引用文献１に記載された従来の電気ケトルの加熱装置の過昇防止用温度ヒューズの取り付け構成を示すものである。図４に示すように、絶縁チューブ１００に挿入した温度ヒューズ１０１を加熱手段の表面１０２に接触させて取り付けている。
【先行技術文献】
【特許文献】
【０００４】
【特許文献１】特開２００９−１２５３５６号公報
【発明の概要】
【発明が解決しようとする課題】
【０００５】
しかしながら、前述した引用文献１の構成では、温度ヒューズは絶縁チューブを介して熱が伝わるため、高出力の加熱装置では、その温度上昇速度が速く、温度ヒューズでは温度上昇が追随しないため加熱手段が溶融し、溶融物が床面まで落下し、最悪火災に至る可能性がある。
【０００６】
本発明は、このような課題を解決するためのものであり、高出力の加熱手段が溶融した場合に、溶融物が床面まで落下することを防止する電気ケトルを提供することを目的としている。
【課題を解決するための手段】
【０００７】
従来の課題を解決するために、本発明の電気ケトルは、加熱手段の直下にその全面を覆うことにより溶融物を受ける受け皿を設け、その容積を加熱手段の全溶融物の体積よりも大きくしたものである。
【０００８】
請求項１に記載の発明は、加熱手段と、当該加熱手段の下方に配置された受け皿と、を有する電気ケトルであり、前記受け皿の容積が、前記加熱手段の全溶融物の体積よりも大きいことを特徴とする。
【０００９】
請求項２に記載の発明は、請求項１に記載の電気ケトルであり、前記受け皿の下方に温度ヒューズを備えたことを特徴とする。
【００１０】
請求項３に記載の発明は、水を入れるための容器と、当該容器の下方に配置され前記容器内の水を加熱する加熱手段と、当該加熱手段の下方に配置された受け皿と、を有する電気ケトルであり、前記容器の下方には、前記受け皿と前記加熱手段を取り付けるための金属或いは樹脂からなる取付け部材が配され、前記取付け部材に、前記加熱手段と前記受け皿が取付けられた状態では、前記加熱手段の下方に前記受け皿が配置され、前記受け皿の容積が、前記加熱手段の全溶融物の体積よりも大きいことを特徴とする。
【００１１】
請求項４に記載の発明は、請求項３に記載の電気ケトルであり、更に、温度ヒューズと、当該温度ヒューズを支持する温度ヒューズ取り付け板とを有し、前記取付け部材に前記温度ヒューズ取付け板を取付けた状態では、前記温度ヒューズが前記受け皿に当接していることを特徴とする。
【発明の効果】
【００１２】
本発明の電気ケトルは、加熱手段の直下にその全面を覆うことにより溶融物を受ける受け皿を設け、その容積を加熱手段の全溶融物の体積よりも大きくすることにより、加熱手段が溶融した場合でも、溶融物が床面まで落下しない。
【００１３】
又、受け皿の下に温度ヒューズを設けることにより、通常使用では温度ヒューズの表面温度と動作温度の差を大きくすることが可能となり、受け皿に加熱手段の溶融物が落下したときに温度ヒューズの温度が急上昇して切れるため、加熱手段の溶融量を少なくすることができ、安全性が向上する。
【図面の簡単な説明】
【００１４】
【図１】本発明を適用してなる実施形態である電気ケトルの断面図
【図２】図１に示す電気ケトルの加熱手段周囲の要部断面図
【図３】本実施例の電気ケトルの加熱手段と受け皿部分を示す斜視図
【図４】従来の電気ケトルの温度ヒューズの取り付け構成を示す図
【発明を実施するための形態】
【００１５】
第１の発明は、加熱手段と、当該加熱手段の下方に配置された受け皿と、を有する電気ケトルであり、前記受け皿の容積が、前記加熱手段の全溶融物の体積よりも大きいことを特徴としている。
【００１６】
第１の発明によると、加熱手段の直下にその全面を覆うことにより溶融物を受ける受け皿を設け、その容積を加熱手段の全溶融物の体積よりも大きくすることにより、加熱手段が溶融した場合でも、溶融物が床面まで落下しない。
【００１７】
第２の発明は、受け皿の下方に温度ヒューズを備えたことを特徴としている。
【００１８】
第２の発明によると、受け皿の下に温度ヒューズを設けることにより、通常使用では温度ヒューズの表面温度と動作温度の差を大きくすることが可能となり、受け皿に加熱手段の溶融物が落下したときに温度ヒューズの温度が急上昇して切れるため、加熱手段の溶融量を少なくすることができ、安全性が向上する。
【００１９】
第３の発明は、水を入れるための容器と、当該容器の下方に配置され前記容器内の水を加熱する加熱手段と、当該加熱手段の下方に配置された受け皿と、を有する電気ケトルであり、前記容器の下方には、前記受け皿と前記加熱手段を取り付けるための金属或いは樹脂からなる取付け部材が配され、前記取付け部材に、前記加熱手段と前記受け皿が取付けられた状態では、前記加熱手段の下方に前記受け皿が配置され、前記受け皿の容積が、前記加熱手段の全溶融物の体積よりも大きいことを特徴としている。
【００２０】
第３の発明によると、加熱手段の直下にその全面を覆うことにより溶融物を受ける受け皿を設け、その容積を加熱手段の全溶融物の体積よりも大きくすることにより、加熱手段が溶融した場合でも、溶融物が床面まで落下しない。
【００２１】
第４の発明は、温度ヒューズと、当該温度ヒューズを支持する温度ヒューズ取り付け板とを有し、前記取付け部材に前記温度ヒューズ取付け板を取付けた状態では、前記温度ヒューズが前記受け皿に当接していることを特徴としている。
【００２２】
第４の発明によると、受け皿の下に温度ヒューズを設けることにより、通常使用では温度ヒューズの表面温度と動作温度の差を大きくすることが可能となり、受け皿に加熱手段の溶融物が落下したときに温度ヒューズの温度が急上昇して切れるため、加熱手段の溶融量を少なくすることができ、安全性が向上する。
【００２３】
以下、本発明の実施の形態について、図面を参照しながら説明する。なお、この実施の形態によって本発明が限定されるものではない。
【実施例】
【００２４】
図１は、本発明を適用してなる実施形態である電気ケトルの断面図を示している。
【００２５】
図２は、図１に示す電気ケトルの加熱手段周囲の要部断面図を示している。
【００２６】
図３は、本実施例の電気ケトルの加熱手段と受け皿部分を示す斜視図である。
【００２７】
図１において、本実施例装置である電気ケトルは、本体２と、本体２の後方（図１紙面右側）に形成され、本体２を持ち上げるときの持ち手となる取手３とを有し、この本体２は、給電台４上に載置することが可能である。
【００２８】
ユーザが取手３を持ち上げることにより、本体２を給電台４から持ち上げ、コップ等にお湯を注ぐことが可能であり、本体２を給電台４に載置した状態では、本体２は給電台４からの電力によりお湯を加熱することができる。
【００２９】
本体２は、満水時の水位を表示した満水目盛５を内側面に設けた液体を収容する容器６と、容器６内に液体を注入するための開口穴としての給水口７と、容器６の上方開口部をヒンジ部８の支点軸を中心に開閉自在に覆う蓋体９と、容器６内の液体を加熱する加熱手段１０と、沸騰した液体の蒸気を検知し自動で機械的に給電を停止する例えばバイメタルスイッチからなる蒸気検知手段１１と、を有している。
【００３０】
又、本体２は、蒸気検知手段１１の給電と給電停止を切替えるスイッチに結合し本体２外面に配置した操作部１２と、給電台４の上面に配置した本体接続部１３と、本体２の上端前部側面に設けた液体を本体２外に注出するための注ぎ口１４と、注ぎ口１４と容器６間に配置し液体を本体２外に注出するときに液体内の異物を取除くためのフィルター１５とを備えている。
【００３１】
また、蓋体９は、蓋外装板１６と、蓋本体部１７と、お手入れ性と外観品位の向上を目的としたステンレス製の蓋化粧板１８と、蓋本体部１７に取付けた蓋を閉じたときに本体係合部１９に係合する蓋係合部２０を他端に有する蓋開閉操作部２１と、蓋体９を閉じたときに蓋体９と給水口７間をシールするためのゴム製のシール部材２２と、シール部材２２を固定するためのシール部材押え板２３と、蓋本体部１７とシール部材押え板２３に挟まれた空間の蒸気経路２４とから構成されている。
【００３２】
図１において、加熱手段１０の下方には受け皿２５が配置されており、受け皿２５の裏面側には、温度ヒューズ取り付け板２６により温度ヒューズ２７が接触している。
【００３３】
図２は、図１に示す電気ケトルの加熱手段１０周囲の要部断面図を示している。
【００３４】
図２を用いて、本実施例装置の加熱手段１０周囲の構成をより詳細に説明する。加熱手段１０の上方には、アルミ層２８（取付け部材）、ステンレス層２９が順に積層されており、これらは、互いにロウ付けさせている。このような構成とすることにより、加熱手段１０からの熱をアルミ層２８、ステンレス層２９に伝導させることが可能となり、ステンレス層２９内方に溜められた水を沸騰させることが可能である。
【００３５】
又、この加熱手段１０の下方には、加熱手段１０を覆うようにして受け皿２５が配置されている。この受け皿２５は、溶融した加熱手段１０が受け皿２５部分より下方に落ちないように、受け皿２５の周囲が上方に突出した形状であることが好ましい。この突出部分により、溶融した加熱手段１０が下方に落ちることを止めることが可能となる。
【００３６】
尚、アルミ層２８とステンレス層２９が、夫々アルミニウム、ステンレスといった材料により構成されているが、他の金属材料を用いても良い。
【００３７】
又、本実施例装置では、溶着によりアルミ層２８やステンレス層２９等を接着させているが、通常の接着剤を用いる等他の方法によりこれらを接着させても良い。さらに、本実施例装置では、加熱手段１０の下方に受け皿２５を配置している構成としているが、この下方とは、加熱手段１０の底面よりも下方に受け皿２５の底面が存在すれば良く、受け皿２５の上開口部分が必ずしも加熱手段１０の底面より下方に位置する必要はない。
【００３８】
受け皿２５は、本体接続部１３の後方位置で、ねじ３０によりアルミ層２８に固定されている。受け皿２５は、アルミ層２８と重なる部分でねじ３０によりアルミ層２８に固定されており、更にその後方は下方に垂直に降下しており、加熱手段１０の下方部分で凹形状となっている。
【００３９】
温度ヒューズ取り付け板２６も同様に、本体接続部１３の後方位置で、ねじ３０によりアルミ層２８に固定されている。温度ヒューズ取り付け板２６は、アルミ層２８と重なる部分でねじ３０によりアルミ層２８（と受け皿２５）に固定されており、更にその後方は下方に垂直に降下しており、受け皿２５の底面側で温度ヒューズ２７を支持している。
【００４０】
温度ヒューズ２７は周囲が絶縁チューブ３１により覆われており、温度ヒューズ取り付け板２６は、弾性力のある金属材料で形成されているために、その弾性力により、絶縁チューブ３１に挿入された温度ヒューズ２７を受け皿２５側に付勢し、温度ヒューズ２７を受け皿２５に当接させ保持している。
【００４１】
図３の斜視図で示すように、受け皿２５は、容器６に設けられたねじ３０に挿入する穴３２を有する固定板３３と加熱手段１０の直下にその全面を覆う馬蹄形状のＵ字板３４を有しており、金属の板材で形成されている。又、受け皿２５の上方には、加熱手段１０が配置されており、これら加熱手段１０と受け皿２５は、本体接続部１３の周囲に配置される。又、温度ヒューズ２７を支持する温度ヒューズ取り付け板２６もアルミ層２８に固定される。
【００４２】
以上のように構成された電気ケトルについて、以下にその動作と作用を説明する。
【００４３】
ユーザが水を入れ忘れる等の条件により、容器６に水が入っていない状態で、加熱手段１０に電流が供給された場合、通常であると、容器６の底面の温度が急上昇し、本体接続部１３に内蔵されたバイメタル（蒸気検知手段１１）が働き、加熱手段１０への電流供給が遮断され、加熱動作を停止する。
【００４４】
しかしながら、さび付き等が原因によりバイメタルが働かなかった場合、この電流供給の遮断が行われないために加熱手段１０の温度は急上昇し続ける。
【００４５】
その結果、加熱手段１０が溶融し、受け皿２５に落下する。このとき受け皿２５の温度が急上昇し、それに当接する温度ヒューズ２７の温度も急上昇して電流が遮断され、加熱手段１０の溶融がストップする。このように、温度ヒューズ２７により加熱手段１０の溶融がストップするため、本体２の温度上昇も抑えられる。
【００４６】
仮に、温度ヒューズ２７が切れなくても、受け皿２５の容量は加熱手段１０の溶融物の体積より大きいため、溶融物が床に落下することはない。
【００４７】
また、受け皿２５の下に温度ヒューズ２７を設けることにより、通常通り水を入れて使用する場合や、本体接続部１３に内蔵されたバイメタルが働く場合は、加熱手段１０の温度が上昇しても、加熱手段１０と受け皿２５との間に空間があるために加熱手段１０の熱がなかなか温度ヒューズ２７に伝わない。
【００４８】
このため、温度ヒューズ２７が加熱手段１０の温度上昇に追随しない。換言すれば、温度ヒューズ２７の動作温度には十分な余裕を得ることができる。
【００４９】
さらに、加熱手段１０全面を受け皿２５で覆うことにより、温度ヒューズ２７の配線が高温部に触れることを防止できる。
【産業上の利用可能性】
【００５０】
以上のように、本発明にかかる電気ケトルは、加熱手段を受け皿で覆うため、加熱手段の溶融物が床に落下することはなく、他の加熱手段の安全装置として利用できる。
【符号の説明】
【００５１】
６    容器
１０  加熱手段
２５  受け皿
２６  温度ヒューズ取り付け板
２７  温度ヒューズ
２８  アルミ層（取付け部材）
３１  絶縁チューブ
【図１】
2014061253.tif 000003
【図２】
2014061253.tif 000004
【図３】
2014061253.tif 000005
【図４】
2014061253.tif 000006